(57)【要約】【課題】インナーロータの回転がスムーズでしかも製造効率が高いカートリッジケースを提供する。【解決手段】ディスク状記録媒体を回転可能に収容するための収容部を構成する平面視円形状または平面視円弧状の隔壁３３が天板３１に立設されたケース本体３と、円板状の底板４１および底板４１の外周縁部に沿って立設された側壁４２を有すると共に側壁４２を隔壁３３の外側に嵌め合わせた状態でケース本体３内に回動可能に配設されたインナーロータ４と、インナーロータ４の回動に伴って移動してディスク状記録媒体にアクセスするためのアクセス経路を開閉するシャッタとを備え、インナーロータ４は、側壁４２の立設方向に沿って側壁４２の内周面に形成された筋状の突起部４５を備えて構成されている。【選択図】図８
2006344267.tif 000002
【特許請求の範囲】
【請求項１】
ディスク状記録媒体を回転可能に収容するための収容部を構成する平面視円形状または平面視円弧状の隔壁が天面に立設されると共に第１開口部が底面に形成されたケース本体と、第２開口部が形成された円板状の本体部および当該本体部の外周縁部に沿って立設された側壁を有すると共に当該側壁を前記隔壁の外側に嵌め合わせた状態で前記ケース本体内に回動可能に配設されたインナーロータと、当該インナーロータおよび前記底面の間に配設されると共に当該インナーロータの回動に伴って移動して前記両開口部を通って前記ディスク状記録媒体にアクセスするためのアクセス経路を開閉するシャッタとを備え、
前記インナーロータは、前記側壁の立設方向に沿って当該側壁の内周面に形成された筋状の突起部を備えて構成されているカートリッジケース。
【請求項２】
ディスク状記録媒体を回転可能に収容するための収容部を構成する平面視円形状または平面視円弧状の隔壁が天面に立設されると共に第１開口部が底面に形成されたケース本体と、第２開口部が形成された円板状の本体部および当該本体部の外周縁部に沿って立設された側壁を有すると共に当該側壁を前記隔壁の外側に嵌め合わせた状態で前記ケース本体内に回動可能に配設されたインナーロータと、当該インナーロータおよび前記底面の間に配設されると共に当該インナーロータの回動に伴って移動して前記両開口部を通って前記ディスク状記録媒体にアクセスするためのアクセス経路を開閉するシャッタとを備え、
前記インナーロータは、前記側壁の先端面に突起部が形成されて構成されているカートリッジケース。
【請求項３】
ディスク状記録媒体を回転可能に収容するための収容部を構成する平面視円形状または平面視円弧状の隔壁が天面に立設されると共に第１開口部が底面に形成されたケース本体と、第２開口部が形成された円板状の本体部および当該本体部の外周縁部に沿って立設された側壁を有すると共に当該側壁を前記隔壁の外側に嵌め合わせた状態で前記ケース本体内に回動可能に配設されたインナーロータと、当該インナーロータおよび前記底面の間に配設されると共に当該インナーロータの回動に伴って移動して前記両開口部を通って前記ディスク状記録媒体にアクセスするためのアクセス経路を開閉するシャッタとを備え、
前記ケース本体は、前記隔壁の立設方向に沿って当該隔壁の外周面に形成された筋状の突起部を備えて構成されているカートリッジケース。
【請求項４】
ディスク状記録媒体を回転可能に収容するための収容部を構成する平面視円形状または平面視円弧状の隔壁が天面に立設されると共に第１開口部が底面に形成されたケース本体と、第２開口部が形成された円板状の本体部および当該本体部の外周縁部に沿って立設された側壁を有すると共に当該側壁を前記隔壁の外側に嵌め合わせた状態で前記ケース本体内に回動可能に配設されたインナーロータと、当該インナーロータおよび前記底面の間に配設されると共に当該インナーロータの回動に伴って移動して前記両開口部を通って前記ディスク状記録媒体にアクセスするためのアクセス経路を開閉するシャッタとを備え、
前記ケース本体は、前記天面における前記側壁の先端面に対向する部位に突起部が形成されて構成されているカートリッジケース。
【請求項５】
請求項１から４のいずれかに記載のカートリッジケースと、当該カートリッジケースの前記ケース本体内に収容された前記ディスク状記録媒体とを備えている情報記録媒体。
【発明の詳細な説明】
【技術分野】
【０００１】
本発明は、ディスク状記録媒体を収容するケース本体と、ケース本体に形成されたアクセス用の開口部を開閉するシャッタとを備えたカートリッジケース、およびそのカートリッジケース内にディスク状記録媒体が収容された情報記録媒体に関するものである。
【背景技術】
【０００２】
この種の情報記録媒体として、特開２００３−１１５１８１号公報に開示されたディスク記録媒体装置が知られている。このディスク記録媒体装置は、上シェル、中シェル（インナーロータ）および下シェルを有するカートリッジ筐体と、カートリッジ筐体内のディスク収納室に収容された光ディスクと、中シェルおよび下シェルの間に配設されて、中シェルおよび下シェルに形成された開口部を開閉するシャッタ部材とを備えている。この場合、上シェルの外周部には、円弧状のカム溝が形成されている。また、中シェルは、上シェルのカム溝に嵌合可能な円弧状のカム部を有するリング部を備えている。このディスク記録媒体装置がディスクドライブ装置に挿入されたときには、ディスクドライブ装置によって中シェルが回転させられ、この中シェルの回転によってシャッタ部材が回動させられることにより、中シェルおよび下シェルの各開口部が開閉される。
【特許文献１】特開２００３−１１５１８１号公報（第６−１４頁、図１）
【発明の開示】
【発明が解決しようとする課題】
【０００３】
ところが、従来のディスク記録媒体装置には、以下の問題点がある。すなわち、このディスク記録媒体装置では、中シェルの回転に伴ってシャッタ部材が回動することで中シェルおよび下シェルの各開口部が開閉される。この場合、中シェルは、光ディスクに対する傷付きを防止するために、柔軟性を有する樹脂材料によって構成されると共に、その表面が滑らかに形成されている。このため、中シェルが回転させられる際に、上シェルおよび中シェルの摺動部分（この場合、上シェルのカム溝と中シェルのカム部）が密着して回転が困難となるおそれがあるという問題点が存在する。この場合、両者の密着を回避するために、例えば、中シェルのカム部（リング部）の内周面にシボ加工を施したり凹凸部を形成する方法が考えられる。しかしながら、この方法には、中シェルを射出成形によって製造する際の金型からの離型性が悪いため、製造効率が低いという問題点が存在する。したがって、この方法を採用するのは困難である。
【０００４】
本発明は、かかる問題点に鑑みてなされたものであり、インナーロータの回転がスムーズでしかも製造効率が高いカートリッジケースおよび情報記録媒体を提供することを主目的とする。
【課題を解決するための手段】
【０００５】
上記目的を達成すべく本発明に係るカートリッジケースは、ディスク状記録媒体を回転可能に収容するための収容部を構成する平面視円形状または平面視円弧状の隔壁が天面に立設されると共に第１開口部が底面に形成されたケース本体と、第２開口部が形成された円板状の本体部および当該本体部の外周縁部に沿って立設された側壁を有すると共に当該側壁を前記隔壁の外側に嵌め合わせた状態で前記ケース本体内に回動可能に配設されたインナーロータと、当該インナーロータおよび前記底面の間に配設されると共に当該インナーロータの回動に伴って移動して前記両開口部を通って前記ディスク状記録媒体にアクセスするためのアクセス経路を開閉するシャッタとを備え、前記インナーロータは、前記側壁の立設方向に沿って当該側壁の内周面に形成された筋状の突起部を備えて構成されている。
【０００６】
また、本発明に係るカートリッジケースは、ディスク状記録媒体を回転可能に収容するための収容部を構成する平面視円形状または平面視円弧状の隔壁が天面に立設されると共に第１開口部が底面に形成されたケース本体と、第２開口部が形成された円板状の本体部および当該本体部の外周縁部に沿って立設された側壁を有すると共に当該側壁を前記隔壁の外側に嵌め合わせた状態で前記ケース本体内に回動可能に配設されたインナーロータと、当該インナーロータおよび前記底面の間に配設されると共に当該インナーロータの回動に伴って移動して前記両開口部を通って前記ディスク状記録媒体にアクセスするためのアクセス経路を開閉するシャッタとを備え、前記インナーロータは、前記側壁の先端面に突起部が形成されて構成されている。
【０００７】
また、本発明に係るカートリッジケースは、ディスク状記録媒体を回転可能に収容するための収容部を構成する平面視円形状または平面視円弧状の隔壁が天面に立設されると共に第１開口部が底面に形成されたケース本体と、第２開口部が形成された円板状の本体部および当該本体部の外周縁部に沿って立設された側壁を有すると共に当該側壁を前記隔壁の外側に嵌め合わせた状態で前記ケース本体内に回動可能に配設されたインナーロータと、当該インナーロータおよび前記底面の間に配設されると共に当該インナーロータの回動に伴って移動して前記両開口部を通って前記ディスク状記録媒体にアクセスするためのアクセス経路を開閉するシャッタとを備え、前記ケース本体は、前記隔壁の立設方向に沿って当該隔壁の外周面に形成された筋状の突起部を備えて構成されている。
【０００８】
また、本発明に係るカートリッジケースは、ディスク状記録媒体を回転可能に収容するための収容部を構成する平面視円形状または平面視円弧状の隔壁が天面に立設されると共に第１開口部が底面に形成されたケース本体と、第２開口部が形成された円板状の本体部および当該本体部の外周縁部に沿って立設された側壁を有すると共に当該側壁を前記隔壁の外側に嵌め合わせた状態で前記ケース本体内に回動可能に配設されたインナーロータと、当該インナーロータおよび前記底面の間に配設されると共に当該インナーロータの回動に伴って移動して前記両開口部を通って前記ディスク状記録媒体にアクセスするためのアクセス経路を開閉するシャッタとを備え、前記ケース本体は、前記天面における前記側壁の先端面に対向する部位に突起部が形成されて構成されているカートリッジケース。
【０００９】
また、本発明に係る情報記録媒体は、上記のカートリッジケースと、当該カートリッジケースの前記ケース本体内に収容された前記ディスク状記録媒体とを備えている。
【発明の効果】
【００１０】
本発明に係るカートリッジケースおよび情報記録媒体によれば、側壁の立設方向に沿って側壁の内周面に形成した筋状の突起部を備えてインナーロータを構成したことにより、インナーロータにおける突起部の先端部とケース本体における隔壁の外周面とを線的に当接させることができる。このため、側壁の内周面と隔壁の外周面との面的な接触が確実に回避されて、インナーロータをスムーズに回動させることができる結果、シャッタの移動（回動）によるアクセス経路の開閉をスムーズに行わせることができる。また、側壁の立設方向に沿って突起部を筋状に形成したことにより、インナーロータの射出成形時において、成形用金型からインナーロータを引き抜く際に突起部が抵抗となって離型性が悪化する事態を確実に回避することができる。このため、例えば、シボ面を側壁に形成することによって離型性が悪化する従来の構成とは異なり、離型性の悪化による製造効率の低下を招くことなく、インナーロータ、ひいてはカートリッジケースおよび情報記録媒体を十分に効率的に製造することができる。
【００１１】
また、本発明に係るカートリッジケースおよび情報記録媒体によれば、インナーロータにおける側壁の先端面に突起部を形成したことにより、例えば、インナーロータにおける側壁の直径をケース本体における隔壁の直径よりもやや大きくなるように形成して、インナーロータを遊びをもって隔壁の外側にはめ込み可能に構成することで、側壁の内周面と隔壁の外周面との面的な接触が確実に回避されると共に、突起部の先端部とケース本体の天面とを点的に当接させることができる。したがって、インナーロータをスムーズに回動させることができる結果、シャッタの移動によるアクセス経路の開閉をスムーズに行わせることができる。また、突起部を側壁の先端面に形成したことにより、インナーロータの射出成形時において、成形用金型からインナーロータを引き抜く際に突起部が抵抗となって離型性が悪化する事態を確実に回避することができる。この結果、離型性の悪化による製造効率の低下を招くことなく、インナーロータ、ひいてはカートリッジケースおよび情報記録媒体を十分に効率的に製造することができる。
【００１２】
また、本発明に係るカートリッジケースおよび情報記録媒体によれば、隔壁の立設方向に沿って隔壁の外周面に形成した筋状の突起部を備えてケース本体を構成したことにより、ケース本体における突起部の先端部とインナーロータにおける側壁の内周面とを線的に当接させることができる。このため、側壁の内周面と隔壁の外周面との面的な接触が確実に回避されて、インナーロータをスムーズに回動させることができる結果、シャッタの移動によるアクセス経路の開閉をスムーズに行わせることができる。また、隔壁の立設方向に沿って突起部を筋状に形成したことにより、射出成形時において、ケース本体の射出成形時において、ケース本体を成形用金型から引き抜く際に突起部が抵抗となって離型性が悪化する事態を確実に回避することができる。したがって、離型性の悪化による製造効率の低下を招くことなく、ケース本体、ひいてはカートリッジケースおよび情報記録媒体を十分に効率的に製造することができる。
【００１３】
また、本発明に係るカートリッジケースおよび情報記録媒体によれば、天面における側壁の先端面に対向する部位に突起部を形成したことにより、例えば、インナーロータにおける側壁の直径をケース本体における隔壁の直径よりもやや大きくなるように形成して、インナーロータを遊びをもって隔壁の外側にはめ込み可能に構成することで、側壁の内周面と隔壁の外周面との面的な接触が確実に回避されると共に、突起部の先端部と側壁の先端面とを点的に当接させることができる。したがって、インナーロータをスムーズに回動させることができる結果、シャッタの移動によるアクセス経路の開閉をスムーズに行わせることができる。また、天面に突起部を形成したことにより、ケース本体の射出成形時において、成形用金型からケース本体を引き抜く際に突起部が抵抗となって離型性が悪化する事態を確実に回避することができる。この結果、離型性の悪化による製造効率の低下を招くことなく、ケース本体、ひいてはカートリッジケースおよび情報記録媒体を効率的に製造することができる。
【発明を実施するための最良の形態】
【００１４】
以下、本発明に係るディスクカートリッジおよび情報記録媒体の最良の形態について、添付図面を参照して説明する。
【００１５】
最初に、ディスクカートリッジ１の構成について、図面を参照して説明する。
【００１６】
図１，２に示すディスクカートリッジ１は、各種記録データの記録および再生が可能に構成されたカートリッジ式の情報記録媒体であって、カートリッジケース２および光ディスク１００を備えて構成されている。なお、図２では、本発明についての理解を容易とするために、その厚み方向のサイズを誇張して厚く図示している。この場合、光ディスク１００は、本発明におけるディスク状記録媒体に相当し、片面仕様の書き換え型のディスク状記録媒体であって、カートリッジケース２の内部に回転可能に収容されている。一方、カートリッジケース２は、本発明に係るカートリッジケースの一例であって、図１，２に示すように、ケース本体３、インナーロータ４およびシャッタ５を備えて構成されている。
【００１７】
ケース本体３は、図１，２に示すように、互いに嵌合可能な下シェル１１および上シェル１２を備えて構成されている。なお、両図では、発明の理解を容易とするために、下シェル１１を上向きにした状態で図示している。下シェル１１は、図３に示すように、一対の下シェル本体２１ａ，２１ｂを備えて構成されている。下シェル本体２１ａ，２１ｂは、ケース本体３の底面を構成する底板２２と、底板２２の外縁部に立設されてケース本体３の側面を構成する側壁２３とをそれぞれ備えている。また、下シェル本体２１ａ，２１ｂは、図１に示すように、上シェル１２に嵌合させた状態（上シェル１２と一体化させた状態）において、両下シェル本体２１ａ，２１ｂにおける底板２２，２２の間にディスクアクセス用の開口部３ａ（本発明における第１開口部に相当する）が形成されるように構成されている。この場合、開口部３ａは、記録データの記録再生時において、ケース本体３内の光ディスク１００に対するドライブ装置からのディスクアクセス（ドライブ装置によるクランプや、光学ヘッドを介してのレーザービームの照射等）が可能となるようにその開口領域が規定されている。また、図３に示すように、下シェル本体２１ａ，２１ｂの各底板２２には、シャッタ５のスリット５３（図９参照）に挿入されて、後述するようにインナーロータ４の回転に伴ってシャッタ５をスライドさせるための凸部２４がそれぞれ立設されている。
【００１８】
上シェル１２は、図４に示すように、ケース本体３の天面を構成する天板３１と、天板３１の外縁部に立設されて下シェル１１の側壁２３と相俟ってケース本体３の側面部分を構成する側壁３２と、天板３１の中央部に立設されて光ディスク１００を回転可能に収容するための平面視円形の収容部をケース本体３内に構成する平面視円形状の隔壁３３とを備えている。この場合、隔壁３３に代えて、同一円周上に立設した平面視円弧状の隔壁を複数備えた構成を採用することもできる。また、図２に示すように、上シェル１２における天板３１の中央部には、リング状の取付け部材６によってチャッキングプレート７が取り付けられている。この場合、チャッキングプレート７は、上シェル１２に対して回転可能で、天板３１に対する接離方向で僅かに移動可能に取り付けられている。
【００１９】
インナーロータ４は、図５に示すように、開口部４ａが形成された円板状の底板４１（本発明における本体部に相当する）と、底板４１の外周縁部に立設された側壁４２とを備えて光ディスク１００を載置可能な浅皿状に構成されている。この場合、開口部４ａは、本発明における第２開口部に相当し、記録データの記録再生時において、ケース本体３内の光ディスク１００に対するドライブ装置からのディスクアクセスが可能となるように、下シェル１１の開口部３ａとほぼ同じ形状に形成されている。また、底板４１の下面（同図における紙面の奥側の面）には、シャッタ５を軸支するための凸部４３，４３が立設されている。また、側壁４２には、ドライブ装置におけるシャッタ開閉手段（図示せず）が噛合可能な噛合用歯部４４が形成されている。なお、同図では、噛合用歯部４４における各歯の図示を省略している。
【００２０】
さらに、側壁４２の内周面には、図５〜図７に示すように、側壁４２の立設方向（図７における上下方向）に沿ってその断面形状が半円状で筋状の突起部４５，４５・・が形成されている。この場合、突起部４５は、側壁４２の内周面からその先端部までの突出長が側壁４２の内周面の半径と上シェル１２における隔壁３３の外周面の半径との差分と等しい長さまたは僅かに短い長さに規定されている。また、インナーロータ４は、図２に示すように、側壁４２が上シェル１２における隔壁３３の外側に嵌め合わされた状態でケース本体３内に回動可能に収容（配設）されている。この場合、図８に示すように、インナーロータ４が上シェル１２に嵌め合わされた状態において、側壁４２に形成された突起部４５の先端部と隔壁３３の外周面とが線的に当接している。このため、側壁４２の内周面と隔壁３３の外周面との面的な接触が回避される結果、インナーロータ４のスムーズな回動が可能となっている。また、インナーロータ４は、ディスクカートリッジ１がドライブ装置に装填されていない状態、つまりディスクカートリッジ１の非使用状態においては、ロック部材８（図１参照）によってケース本体３に対する回動が規制されている。
【００２１】
ここで、インナーロータ４を射出成形するための成形用金型は、一般的に、インナーロータ４を成形用金型から引き抜く（成形用金型の外部に押し出す）際の引き抜き方向と側壁４２の立設方向とが同じ方向となるように設計されている。この場合、このインナーロータ４では、突起部４５が側壁４２の立設方向に沿った筋状の形状のため、例えば、シボ面を側壁に形成する従来の構成とは異なり、射出成形時においてインナーロータ４を成形用金型から引き抜く際に側壁４２が抵抗となって離型性を悪化する事態が回避されている。したがって、このインナーロータ４では、従来の構成とは異なり、離型性の悪化による製造効率の低下を招くことなく、インナーロータ４を効率的に製造することが可能となっている。
【００２２】
シャッタ５は、図９に示すように、一対のシャッタ部材５１ａ，５１ｂを備えて構成されている。この場合、シャッタ部材５１ａ，５１ｂは、その一端部側にインナーロータ４の凸部４３が挿通可能な挿通孔５２が形成されると共に、その他端部側に下シェル１１の凸部２４が挿通可能なスリット５３が形成されている。この場合、シャッタ５は、図２に示すように、下シェル１１の底板２２（ケース本体３の底面）とインナーロータ４の底板４１との間に挟み込まれるようにしてケース本体３内に配設されている。また、シャッタ５は、ディスクカートリッジ１がドライブ装置に装填されてインナーロータ４が回動させられたときに、その回動に伴ってシャッタ部材５１ａ，５１ｂが挿通孔５２を中心として回動（移動）させられることにより、ケース本体３の開口部３ａ、およびインナーロータ４の開口部４ａを通って光ディスク１００にアクセスするためのアクセス経路を開閉する。なお、以下の説明において、このアクセス経路の開閉を「開口部３ａおよび開口部４ａの開閉（開口および閉塞）」ともいう。
【００２３】
次に、ディスクカートリッジ１の使用方法について、図面を参照して説明する。
【００２４】
このディスクカートリッジ１では、図１に示すように、ドライブ装置から取り外されているとき、つまり非使用状態においては、ケース本体３の開口部３ａおよびインナーロータ４の開口部４ａが、シャッタ５のシャッタ部材５１ａ，５１ｂによって閉塞されている。一方、ディスクカートリッジ１をドライブ装置に装填した際には、ディスクカートリッジ１がドライブ装置によって矢印Ｉの向きで装置内部に引き込まれる。なお、同図では下シェル１１を上向きにした状態を図示しているが、実際の使用に際しては、上シェル１２を上向きにした状態でドライブ装置に装填する。この際には、ドライブ装置のシャッタ開閉手段によってインナーロータ４が回動させられ、これにより、シャッタ５のシャッタ部材５１ａ，５１ｂがインナーロータ４に対して相対的に回動させられて開口部３ａ，４ａが開口される。
【００２５】
具体的には、まず、シャッタ開閉手段がロック部材８に当接することにより、ロック部材８がケース本体３に対してスライドさせられてインナーロータ４の回動が許容される。次に、ディスクカートリッジ１がドライブ装置内にさらに引き込まれた際には、シャッタ開閉手段がインナーロータ４の噛合用歯部４４に噛合して、この状態でディスクカートリッジ１がさらに引き込まれることにより、インナーロータ４が図１に示す矢印Ｂ１の向きでケース本体３に対して回動させられる。この際には、インナーロータ４の回動に伴ってシャッタ５のシャッタ部材５１ａ，５１ｂが挿通孔５２（インナーロータ４の凸部４３）を中心として回動（スライド）させられる。次いで、ディスクカートリッジ１がドライブ装置内にさらに引き込まれた際には、下シェル１１の開口部３ａとインナーロータ４の開口部４ａとがディスクカートリッジ１の厚み方向において重ね合わされると共に、シャッタ部材５１ａ，５１ｂがさらに回動させられて開口部４ａ上から移動させられる。この結果、非使用状態において閉じていたシャッタ部材５１ａ，５１ｂの両者が完全に開けられて光ディスク１００の記録領域が露出し、これにより、ケース本体３の外部から両開口部３ａ，４ａを通って光ディスク１００にアクセスするためのアクセス経路が確保される。
【００２６】
この場合、図８に示すように、インナーロータ４の側壁４２に形成された突起部４５の先端部とケース本体３の上シェル１２における隔壁３３の外周面とが線的に当接しているため、側壁４２の内周面と隔壁３３の外周面との面的な接触が回避されて、インナーロータ４がスムーズに回動させられる。この結果、シャッタ部材５１ａ，５１ｂの回動による開口部３ａ，４ａの開口がスムーズに行われる。この後、ドライブ装置によってチャッキングプレート７が磁気的に引き寄せられて光ディスク１００の中心孔１００ａ（図３参照）の口縁部がクランプされ、開口部３ａを介してのレーザービームの照射（記録データの記録または再生）が実行される。
【００２７】
一方、記録データの記録再生を完了したディスクカートリッジ１をドライブ装置から取り出す際には、ドライブ装置のシャッタ開閉手段によってインナーロータ４が図１に示す矢印Ｂ２の向きで回動させられると共に、その回動に伴ってシャッタ５のシャッタ部材５１ａ，５１ｂが回動させられて、開口部３ａ，４ａがシャッタ部材５１ａ，５１ｂによって閉塞される。この場合、インナーロータ４の側壁４２に形成された突起部４５の先端部とケース本体３の上シェル１２における隔壁３３の外周面とが線的に当接しているため、側壁４２の内周面と隔壁３３の外周面との面的な接触が回避されて、インナーロータ４がスムーズに回動させられる。この結果、シャッタ部材５１ａ，５１ｂの回動による開口部３ａ，４ａの閉塞がスムーズに行われる。
【００２８】
このように、このカートリッジケース２およびディスクカートリッジ１によれば、側壁４２の立設方向に沿って側壁４２の内周面に形成した筋状の突起部４５を備えてインナーロータ４を構成したことにより、インナーロータ４における突起部４５の先端部とケース本体３における隔壁３３の外周面とを線的に当接させることができる。このため、側壁４２の内周面と隔壁３３の外周面との面的な接触が確実に回避されて、インナーロータ４をスムーズに回動させることができる結果、シャッタ部材５１ａ，５１ｂの回動による開口部３ａ，４ａの開閉をスムーズに行わせることができる。また、側壁４２の立設方向に沿って突起部４５を筋状に形成したことにより、インナーロータ４の射出成形時において、成形用金型からインナーロータ４を引き抜く際に突起部４５が抵抗となって離型性が悪化する事態を確実に回避することができる。このため、例えば、シボ面を側壁に形成することによって離型性が悪化する従来の構成とは異なり、離型性の悪化による製造効率の低下を招くことなく、インナーロータ４、ひいてはカートリッジケース２およびディスクカートリッジ１を十分に効率的に製造することができる。
【００２９】
なお、本発明は、上記した構成に限定されない。例えば、側壁４２の立設方向に沿って側壁４２の内周面に形成した筋状の突起部４５を備えたインナーロータ４を例に挙げて説明したが、図１０に示すように、突起部４５に代えて、側壁４２の先端面（同図では下端面）に形成した半球状の突起部４６を備えたインナーロータ４Ａを採用することもできる。なお、図１０〜図１４および以下の説明において、上記した構成要素と同一の構成要素については、同一の符号を付して、重複する説明を省略する。この場合、このインナーロータ４Ａは、同図に示すように、側壁４２の直径が上シェル１２における隔壁３３の直径よりもやや大きくなるように形成されて、遊びをもって上シェル１２にはめ込み可能に構成されている。このため、側壁４２の内周面と隔壁３３の外周面との面的な接触が確実に回避されると共に、突起部４６の先端部と上シェル１２における天板３１の内側（同図では上側）の面とを点的に当接させることができる。したがって、このインナーロータ４Ａを備えたカートリッジケース２Ａおよびディスクカートリッジ１Ａにおいても、インナーロータ４Ａをスムーズに回動させることができる結果、シャッタ部材５１ａ，５１ｂの回動による開口部３ａ，４ａの開閉をスムーズに行わせることができる。また、突起部４６を側壁４２の先端面に形成したことにより、インナーロータ４Ａの射出成形時において、成形用金型からインナーロータ４Ａを引き抜く際に突起部４６が抵抗となって離型性が悪化する事態を確実に回避することができる。この結果、離型性の悪化による製造効率の低下を招くことなく、インナーロータ４Ａ、ひいてはカートリッジケース２Ａおよびディスクカートリッジ１Ａを十分に効率的に製造することができる。
【００３０】
また、図１１に示すように、上記した突起部４５，４６の双方を備えたインナーロータ４Ｂを採用することもできる。このインナーロータ４Ｂを備えたカートリッジケース２Ｂおよびディスクカートリッジ１Ｂによれば、インナーロータ４Ｂにおける突起部４５の先端部と上シェル１２における隔壁３３の外周面とを線的に当接させることができると共に、突起部４６の先端部と上シェル１２における天板３１の内側の面とを点的に当接させることができる。したがって、このカートリッジケース２Ｂおよびディスクカートリッジ１Ｂにおいても、インナーロータ４Ｂをスムーズに回動させることができる結果、シャッタ部材５１ａ，５１ｂの回動によって開口部３ａ，４ａの開閉をスムーズに行わせることができる。また、側壁４２の立設方向に沿って突起部４５を筋状に形成すると共に、側壁４２の先端面に突起部４６を形成したことにより、インナーロータ４Ｂの射出成形時において、成形用金型からインナーロータ４Ｂを引き抜く際に突起部４５，４６が抵抗となって離型性が悪化する事態を確実に回避することができる。この結果、離型性の悪化による製造効率の低下を招くことなく、インナーロータ４Ｂ、ひいてはカートリッジケース２Ｂおよびディスクカートリッジ１Ｂを十分に効率的に製造することができる。
【００３１】
また、図１２に示すように、インナーロータ４，４Ａ，４Ｂに代えて、突起部４５，４６を備えていないインナーロータ４Ｃを採用すると共に、上シェル１２に代えて、隔壁３３の立設方向に沿って隔壁３３の外周面に形成された断面形状が半円状で筋状の突起部３４を備えた上シェル１２Ａを採用することもできる。この場合、突起部３４は、隔壁３３の外周面からその先端部までの突出長がインナーロータ４Ｃにおける側壁４２の内周面の半径と隔壁３３の外周面の半径との差分と等しい長さまたは僅かに短い長さに規定されている。このインナーロータ４Ｃおよび上シェル１２Ａを備えたカートリッジケース２Ｃおよびディスクカートリッジ１Ｃによれば、上シェル１２Ａにおける突起部３４の先端部とインナーロータ４Ｃにおける側壁４２の内周面とを線的に当接させることができる。したがって、このカートリッジケース２Ｃおよびディスクカートリッジ１Ｃにおいても、インナーロータ４Ｃをスムーズに回動させることができる結果、シャッタ部材５１ａ，５１ｂの回動による開口部３ａ，４ａの開閉をスムーズに行わせることができる。また、隔壁３３の立設方向に沿って突起部３４を筋状に形成したことにより、射出成形時において、上シェル１２Ａを成形用金型から引き抜く際に突起部３４が抵抗となって離型性が悪化する事態を確実に回避することができる。したがって、離型性の悪化による製造効率の低下を招くことなく、上シェル１２Ａ、ひいてはカートリッジケース２Ｃおよびディスクカートリッジ１Ｃを十分に効率的に製造することができる。
【００３２】
また、図１３に示すように、上記したインナーロータ４Ｃを採用すると共に、天板３１の内側の面における側壁４２の先端面に対向する部位に形成された半球状の突起部３５を備えた上シェル１２Ｂを採用することもできる。この場合、このインナーロータ４Ｃは、同図に示すように、側壁４２の直径が上シェル１２Ｂにおける隔壁３３の直径よりもやや大きくなるように形成されて、遊びをもって上シェル１２Ｂにはめ込み可能に構成されている。このため、このインナーロータ４Ｃおよび上シェル１２Ｂを備えたカートリッジケース２Ｄおよびディスクカートリッジ１Ｄによれば、インナーロータ４Ｃにおける側壁４２の内周面と上シェル１２Ｂにおける隔壁３３の外周面との面的な接触を確実に回避することができると共に、突起部３５の先端部と側壁４２の先端面とを点的に当接させることができる。したがって、このカートリッジケース２Ｄおよびディスクカートリッジ１Ｄにおいても、インナーロータ４Ｃをスムーズに回動させることができる結果、シャッタ部材５１ａ，５１ｂの回動による開口部３ａ，４ａの開閉をスムーズに行わせることができる。また、天板３１における内側の面に突起部３５を形成したことにより、射出成形時において、上シェル１２Ｂを成形用金型から引き抜く際に突起部３５が抵抗となって離型性が悪化する事態を確実に回避することができる。したがって、離型性の悪化による製造効率の低下を招くことなく、上シェル１２Ｂ、ひいてはカートリッジケース２Ｄおよびディスクカートリッジ１Ｄを効率的に製造することができる。
【００３３】
また、図１４に示すように、上記したインナーロータ４Ｃ、および上記した突起部３４，３５の双方を備えた上シェル１２Ｃを採用することもできる。このインナーロータ４Ｃおよび上シェル１２Ｃを備えたカートリッジケース２Ｅおよびディスクカートリッジ１Ｅによれば、上シェル１２Ｃにおける突起部３４の先端部とインナーロータ４Ｃにおける側壁４２の内周面とを線的に当接させることができると共に、突起部３５の先端部と側壁４２の先端面とを点的に当接させることができる。したがって、このカートリッジケース２Ｅおよびディスクカートリッジ１Ｅにおいても、インナーロータ４Ｃをスムーズに回動させることができる結果、シャッタ部材５１ａ，５１ｂの回動による開口部３ａ，４ａの開閉をスムーズに行わせることができる。また、隔壁３３の立設方向に沿って突起部３４を筋状に形成すると共に、天板３１の内側の面に突起部３５を形成したことにより、射出成形時において、上シェル１２Ｃを成形用金型から引き抜く際に突起部３４，３５が抵抗となって離型性が悪化する事態を確実に回避することができる。この結果、離型性の悪化による製造効率の低下を招くことなく、上シェル１２Ｃ、ひいてはカートリッジケース２Ｅおよびディスクカートリッジ１Ｅを十分に効率的に製造することができる。
【００３４】
さらに、突起部４５を備えた上記のインナーロータ４と、突起部３５を備えた上記の上シェル１２Ｂとを組み合わせた構成や、突起部４６を備えた上記のインナーロータ４Ａと、突起部３４を備えた上記の上シェル１２Ａとを組み合わせた構成を採用することもでき、これらの構成を採用したカートリッジケースおよびディスクカートリッジにおいても、上記した各効果と同様の効果を実現することができる。。
【００３５】
また、突起部４６に代えて、シボ面（凹凸面）を側壁４２の先端面に形成したインナーロータを採用することもできる。この場合、このインナーロータにおいても、側壁４２の先端面と上シェル１２における天板３１の内側の面との面的な接触をシボ面によって確実に回避することができる。さらに、突起部３５に代えて、シボ面（凹凸面）を天板３１の内側の面に形成した上シェルを採用することもできる。この場合、この上シェルにおいても側壁４２の先端面と上シェルにおける天板３１の内側の面との面的な接触をシボ面によって確実に回避することができる。
【００３６】
さらに、本発明におけるディスク状記録媒体としては、上記した書き換え型の光ディスク１００に限定されず、再生専用タイプの光ディスクや、追記型の光ディスクなどの各種の光ディスクが含まれるばかりでなく、光磁気ディスクや磁気ディスクも含まれる。
【図面の簡単な説明】
【００３７】
【図１】ディスクカートリッジ１の外観斜視図である。
【図２】図１におけるＣ−Ｃ線断面図である。
【図３】下シェル１１を内面側から見た平面図である。
【図４】上シェル１２を内面側から見た平面図である。
【図５】インナーロータ４を上シェル１２側から見た平面図である。
【図６】突起部４５近傍におけるインナーロータ４の平面図である。
【図７】図６におけるＤ−Ｄ線断面図である。
【図８】突起部４５の近傍におけるディスクカートリッジ１の断面図である。
【図９】シャッタ５を下シェル１１側から見た平面図である。
【図１０】突起部４６の近傍におけるディスクカートリッジ１Ａの断面図である。
【図１１】突起部４５，４６の近傍におけるディスクカートリッジ１Ｂの断面図である。
【図１２】突起部３４の近傍におけるディスクカートリッジ１Ｃの断面図である。
【図１３】突起部３５の近傍におけるディスクカートリッジ１Ｄの断面図である。
【図１４】突起部３４，３５の近傍におけるディスクカートリッジ１Ｅの断面図である。
【符号の説明】
【００３８】
１，１Ａ，１Ｂ，１Ｃ，１Ｄ，１Ｅ  ディスクカートリッジ
２，２Ａ，２Ｂ，２Ｃ，２Ｄ，２Ｅ  カートリッジケース
３  ケース本体
３ａ  開口部
４，４Ａ，４Ｂ，４Ｃ  インナーロータ
４ａ  開口部
５  シャッタ
２２，４１  底板
３１  天板
３３  隔壁
３４，３５，４５，４６  突起部
４２  側壁
１００  光ディスク
【図１】
2006344267.tif 000003
【図２】
2006344267.tif 000004
【図３】
2006344267.tif 000005
【図４】
2006344267.tif 000006
【図５】
2006344267.tif 000007
【図６】
2006344267.tif 000008
【図７】
2006344267.tif 000009
【図８】
2006344267.tif 000010
【図９】
2006344267.tif 000011
【図１０】
2006344267.tif 000012
【図１１】
2006344267.tif 000013
【図１２】
2006344267.tif 000014
【図１３】
2006344267.tif 000015
【図１４】
2006344267.tif 000016